(57)【要約】      （修正有）【課題】  犬の糞が入った袋を車外に積載して持ち帰るための簡便な汚物保持具を提供する。【解決手段】  可撓製のある台座１と車両に固定するための磁石２と、犬の糞を入れた袋を把持するための把持部３と車の揺れに伴って袋が揺れるのを防止するためのネット４を備える汚物保持具１００が提供される。台座に可撓製があるため、車の後部などの曲面部にも容易に取り付けることができる。この汚物保持具１００を使用することによって、犬の糞等の汚物が入った袋を車内に持ち込まずに車外に固定して輸送することができる。【選択図】  図１
2007001468.tif 000002
【特許請求の範囲】
【請求項１】
車のボディーに取り付けられて汚物を車外に保持する汚物保持具であって、
可撓性のある台座と、
前記台座に設けられて、台座を車のボディーに着脱可能に取り付ける取付具と、
前記台座に設けられて、前記汚物を保持する保持部とを備える汚物保持具。
【請求項２】
前記保持部がネットであることを特徴とする請求項１に記載の汚物保持具。
【請求項３】
車のボディーに取り付けられて汚物を車外に保持する汚物保持具であって、
可撓性のある台座と、
前記台座に設けられて、台座を車のボディーに磁力で着脱可能に取り付ける磁石と、
前記台座に設けられて、前記汚物を収納した袋の一部を把持する把持部とを備える汚物保持具。
【請求項４】
前記把持部が袋の上部を挟み込むクリップ又はスリット付部材であることを特徴とする請求項３に記載の汚物保持具。
【請求項５】
複数の請求項３に記載の汚物保持具と、
それらの前記把持部を連結するように取り付け可能な汚物保持部とを備える汚物保持具。
【請求項６】
前記可撓性のある台座の形が、犬の足もしくは犬の足跡を模した形であることを特徴とする請求項１〜５のいずれか一項に記載の汚物保持具。
【発明の詳細な説明】
【技術分野】
【０００１】
本発明は、車両用の汚物保持具に関し、さらに詳細には取付が容易であり、汚物を車外に保持して運搬可能な汚物保持具に関する。
【背景技術】
【０００２】
近年のペットブームに伴い、犬を飼う人の数が大幅に増加している。犬を飼う場合には、犬に適度な運動をさせるために犬を散歩に連れて行くことを欠かすことができない。通常、飼主は散歩にビニール袋を携帯しており、犬が糞をした場合には、その糞を拾ってビニール袋に入れて、自宅に持ち帰るのがマナーとされている。しかし実際には、犬の糞を放置したり、その場に埋めてしまったりするようなマナーの悪い飼い主も多い。放置された犬の糞は美観を損ねるだけでなく、臭い等の衛生面の問題もある。また、犬の糞は回虫やサナダムシなどの寄生虫を人間に媒介する危険があり、放置された糞から寄生虫が地中に逃げ出し、土に触った人間の体内に入ってしまう可能性も指摘されている。そのため、犬の糞の問題は一種の環境問題として捉えられ、犬の糞を放置した飼い主に対して罰金を科す条例を定める自治体もある。しかし、自治体や環境団体の努力だけで、そのようなマナーの悪い飼い主に対して注意を促すのは限界があるため、犬を飼っている人同士がお互いに、マナーアップを訴えていく必要がある。
【０００３】
また、都会では年々犬の散歩に適した道や公園が少なくなってきているため、犬を車に乗せて散歩に適した場所まで連れて行き、散歩をさせる機会が非常に多くなっている。散歩中に犬が糞をした場合には、飼主は犬の糞の入ったビニール袋を車内に入れて持ち帰らなければならないが、汚物の臭いが気になる。特に高温時には、密閉された車内空間に悪臭が充満しやすい。また、感覚的に汚物の入った袋を車内に持ち込むことに抵抗を感じる人も多い。そのため、徒歩で犬の散歩に行く場合には犬の糞をきちんと自宅まで持ち帰っている飼い主の中にも、犬を車に乗せて散歩に連れて行った際には、糞を放置して自宅に持ち帰らない者もいると考えられる。
【０００４】
荷物を車外に積載するためのルーフキャリアは数多く市販されているが、主にサーフボードやキャンプ用品などの大型積載物を入れる用途に用いられるため、犬の糞などの汚物を積載する用途には不向きである。特許文献１は、マグネットを使用して車外に取り付けることが可能な車外積載装置を開示している。しかし、この車外積載装置は、車のルーフ部に取り付けて長尺の物（例えば傘やスキー板など）を輸送するために使用される装置であるため、これも犬の糞などの汚物を収納する用途に対しては不向きである。
【０００５】
【特許文献１】特開平９−１８８２００号公報
【発明の開示】
【発明が解決しようとする課題】
【０００６】
犬の糞に限らず、車内に積載したくない異物も多くある。例えば、釣り餌や釣った魚、幼児のオムツ、土の付いた植物、昆虫などを車内に入れることに抵抗がある場合も少なくない。
【０００７】
そこで本発明の第１の目的は、車内に入れて運搬したくない汚物を、車外に簡単に保持して運搬できる保持具を提供することにある。また、本発明の第２の目的は、犬を車に乗せて散歩に連れて行った際に、犬の糞を入れた袋を車外に保持して持ち帰るための簡便な汚物保持具を提供することにある。本発明の第３目的は、犬の糞を持ち帰らないマナーの悪い飼い主に対して注意を喚起することができる汚物保持具を提供することにある。
【課題を解決するための手段及び発明の効果】
【０００８】
本発明の第１の態様に従えば、車のボディーに取り付けられて汚物を車外に保持するための汚物保持具であって、可撓性のある台座と、台座に設けられて台座を車のボディーに着脱可能に取り付ける取付具と、台座に設けられて汚物を保持するための保持部とを備える汚物保持具が提供される。
【０００９】
本発明の第１の態様によれば、汚物保持具を取付具によって車のボディーに着脱可能に取り付けて、簡便に汚物を車外に保持して運搬することができる。また、台座は可撓性であるためボディーの曲面や窪みまたは突出部でもボディーの形状に応じて変形可能であるので、確実に取付具により台座をボディーに密着できる。また、前記保持部はネットであってもよく、前記取付具は例えば、磁石、吸盤又はフックにし得る。
【００１０】
本発明の第２の態様に従えば、車のボディーに取り付けられて汚物を車外に保持する汚物保持具であって、可撓性のある台座と、台座に設けられて台座を車のボディーに磁力で着脱可能に取り付けるための磁石と、台座に設けられて汚物を収納した袋の一部を把持するための把持部を備える汚物保持具が提供される。
【００１１】
犬の飼い主は、スーパーやコンビニエンスストアなどで使用するビニール袋に犬の糞を回収する習慣があり、本発明の第２の態様の汚物保持具は、そのような汚物を収納した袋の一部を容易に把持することができる。特に、把持部がクリップ又はスリット付部材であればそのような袋の結び目を挟み込み又は吊り下げることができる。
【００１２】
本発明によれば複数の汚物保持具を使用して、それらの把持部の間を連結するように取付可能な汚物保持部を取り付けてもよい。複数の汚物保持具を利用することによって、一個の汚物保持具では保持しきれないような比較的大型のものを保持することができる。また、本発明によれば、可撓性のある台座の形が、犬の足もしくは犬の足跡を模した形であってもよい。こうすることにより、車両が犬を搭乗させているとの情報を発信することができる。また、愛犬家に対して犬の糞を持ち帰るマナーをアピールし、環境保護に貢献することができる。
【００１３】
本願において用語「汚物」とは、犬の糞や使用済みのオムツなどのいわゆる社会通念上の汚物のみならず、釣り餌や土の付いた植物や昆虫など車の中に持ち込むことに抵抗を覚えるような異物をも含める意味である。
【発明を実施するための最良の形態】
【００１４】
以下、本発明の汚物保持具の実施形態について、図を参照しながら説明する。
【００１５】
＜第１具体例＞
図１（ａ）〜（ｃ）に示すように、本発明の汚物保持具１００は、ゴムなどの可撓性のある材料からできた台座１と、台座１の裏面１ｂに取り付けられた磁石（マグネット）２と、台座１の表面１ａに取り付けられた把持部３及び袋５を保持するネット（保持部）４を備える。
【００１６】
台座１は、一辺の長さが約１０ｃｍのほぼ正６角形の形状をしており、ゴムなどの可撓性のある材質で作られている。台座１の材料としては、天然ゴムやウレタンゴム、ネオプレンゴム等のゴム材が好適であるが、使用後に洗浄が容易という点で帆布や化繊製の布等の布材が好ましい。
【００１７】
磁石２は直径２ｃｍ程度の円形のフェライト磁石であり、台座１の各頂点に対応する部分の裏面１ｂに取り付けられている。磁石の材質は、磁力が強力であるので磁石の小型化が可能であるという点でネオジム磁石はさらに好適である。
【００１８】
把持部３は台座１の上部中央に設けられたコの字型の形状のプラスチック製の部材であり、台座１に取り付けられる平板状の基部３ａと、基部３ａの一端から突出した支部３ｃと、一端が支部３ｃと連絡し且つ基部３ａとほぼ並行に延在する板バネ部３ｂを有し、基部３ａと板バネ部３ｂとの間にスリット１１が画成されている。板バネ部３ｂの他端部は開放端であり、返し１２が設けられている。
【００１９】
保持部としてのネット４は、ナイロン製のメッシュ布であり、上部が開口部となる袋を形成するように台座１の表面１ａに取り付けられる。ネット４は把持部３の下側に置かれ、台座１の下半分程度を覆うように取り付けられる。ネット４は縫合等により台座１に固定されていてもよく、フォックやボタンなどによって着脱可能であってもよい。後者の場合、ネットのみ洗浄できるという点で便利である。
【００２０】
図１（ｄ）に示すように、本発明の汚物保持具１００は台座１に設けられた磁石２の磁力を利用して車のボディーに取り付けられる。この図に示すように、車のバックドア部やトランクルーフ部、リアゲート部、リアフェンダー部等の車体後部に取り付けるのが好適であるが、取付場所はこれらに制限されない。例えばルーフを除き、フロントフェンダーやサイドフェンダーやドアにも装着可能である。
【００２１】
次に本具体例の汚物保持具１００の使用法について説明する。
【００２２】
前述のように犬の散歩をさせる者は、スーパーやコンビニエンスストアなどで使用したビニール袋等の袋を持参することが多い。犬が糞をした場合は、持参したビニール袋５の中に糞を収納した後、袋５の開口部を縛って密封する。その際、袋５の口を縛った箇所に結び目ができる。把持部３のスリット１１の幅は袋５を縛ったときにできる結び目の直径よりも小さいので、開口部を縛った袋５の結び目の下側をスリット１１に挿入することにより、図１（ｃ）に示すように袋５の開口部の結び目を把持部３に引っかけてあるいは吊して把持することができる。また、把持部３の開口部には返し１２が付いているため、スリット１１に挿入された袋５が横滑りした際にも、容易に抜け落ちない。
【００２３】
把持部３に犬の糞を入れた袋５を把持した際に、車の揺れによって袋５が前後左右に大きく揺れることが予想される。揺れが大きくなりすぎると、犬の糞を入れた袋５が把持部３から外れることもあり得る。本具体例では袋５または汚物の保持具としてネット４を備えており、前記把持部３で把持される袋５をネット４で受け止めることができるようになっている。図１（ｃ）に示すように、袋５の開口部の結び目を把持部３で把持し、かつネット４を用いて袋５を押さえることによって、車が大きく揺れた場合でも確実に袋５を保持することができる。万が一、袋５の結び目が把持部３から外れた場合も袋５がネット４で保持されているので、袋５が路上に落下することを防止することができる。
【００２４】
本発明の汚物保持具１００は、磁石を使用しているので車両のボディーへの着脱が容易であり、シールや接着剤などと異なり跡が残らないという利点がある。また、本発明の汚物保持具は前述のように車のボディー、特に車体後部に取り付けられて使用されるため、これらの部位の曲面部にも沿うように、台座１はゴムなどの可撓性のある材質で作られている。本発明の汚物保持具は汚物を保持するという用途からすれば、容易に取り外して洗浄可能であることが要望される。この点で台座１の材料としては、前述のように帆布や化繊製の布等の布材が好適である。これらの材料は可撓性があるだけでなく、洗浄可能であるという利点も有する。さらに、磁石２の磁力を利用して車のボディーに取り付ける場合、取り付けた面から引き離す向きの力には十分対抗できるほど強力であるので、本発明の汚物保持具が車の走行中などにボディーから外れてしまう恐れはない。しかし、取り付けた面に沿って動かす力が働いた場合には、横ズレする恐れがある。そのため、このような横ズレを起こしにくくするためには、台座１の材質は、ボディー面との間の摩擦が大きいものであることが望ましい。この点においても、前述のゴム材やボディーに対して摩擦力の高い布材を台座１の材料として使用するのは好適である。
【００２５】
ネット４の上部の開口部はファスナー等で開閉可能であってもよく、ウォータープルーフのファスナーであればさらに好適である。また、ネット４の材質はゴム紐で編んだメッシュのように伸縮自在の素材であってもよい。把持部３の材質はプラスチックに限定されず、板バネ部３ｂが板バネとしての役割を果たすものであれば、例えば金属であっても構わない。また、図１（ｄ）に示すように、台座１の上部にヒモ取付用穴６ｂを設け、そこにヒモ６ａを通して輪状にして、その輪を車のリアワイパーの駆動軸部分７やアンテナ等に引っ掛けて固定することもできる。このようにしてリアワイパー等に固定することによって、万が一車体から磁石が外れてしまった場合においても汚物保持具１００が落下することを防止することができる。
【００２６】
図１に示した汚物保持具１００の把持部３の第１〜第３変形例を図２から図４を用いて説明する。なお、それらの変形例において、把持部３以外の構造については図１に示した第１具体例と同様である。
【００２７】
［第１変形例］
図２（ａ）に示すように、把持部１３は、図１に示した台座１に取り付けられる平板状の基部１３ａと、基部１３ａの表面から表面に対して垂直に且つ水平方向に延在する平板状のスリット板１３ｂを有する。スリット板１３ｂには、その長手方向に延在するスリット１４が形成されている。スリット１４の一端１４ａは開放端であり、スリット板１３ｂのスリット１４を画成している両側の縁部にはスリット１４を覆うようにブラシ状の毛１５が植毛されている。スリット１４の幅は、袋の開口部を縛ったときにできる結び目の直径よりも十分狭い。それゆえ、開口部を縛った袋の結び目の下側をスリット１４に挿入することにより、把持部１３に袋の開口部の結び目を引っかけてあるいは吊り下げて把持することができる。また、スリット１４を覆うブラシ状の毛１５は、スリット１４内で袋がスライド移動する抵抗となるため、スリット１４内に挿入された袋が容易に抜け落ちない。
【００２８】
［第２変形例］
図２（ｂ）に示すように、把持部２３は図２（ａ）に示したスリット板１３ｂのスリット１４に代えて、波形のスリット２４を採用した。スリット２４の一端２４ａは開放端である。スリット２４の形状は直線ではなく、波形の曲線の形状をしており、長手方向に沿ってスリット間隔の広い部分と狭い部分が交互に形成されている。スリット間隔の広い部位においても、スリット間隔は前記袋の結び目の大きさよりも小さくされている。それゆえ、開口部を縛った前記袋をスリット２４に挿入することによって、把持部２３に前記袋の開口部の結び目を引っ掛けてあるいは吊り下げて把持することができる。また、スリット間隔の狭い部位は、スリット２４内で袋がスライド移動することを防止し、スリット２４内に挿入された袋が容易に抜け落ちない。このため、第１変形例で採用したブラシ状の毛を用いる必要がない。また、スリット間隔の広い部位及び狭い部位は交互にいくつか形成されているので、複数の前記袋を固定することができる。
【００２９】
［第３変形例］
図３に示したように、把持部３３は、図１に示した台座１に取り付けられる平板状の基部３３ａと、カラビナ３４と、基板３３ａにカラビナ３４を取り付けるための取付具３３ｂを有する。カラビナ３４は、一端がバネ付勢されて摺動する支点３６に固定され、他端がカラビナ内側に回動するフック３５を有する。カラビナ３４の環の大きさは、前記袋の開口部の結び目の大きさと比べて小さい。それゆえフック３５を押してカラビナ３４の環の中に前記袋の開口部の結び目を通すことによって、前記袋の開口部の結び目を引っ掛けてあるいは吊り下げて把持することができる。また、前記袋の開口部の結び目の上部には、袋の把手部分の輪もあるので、この輪の部分をカラビナに引っ掛けてあるいは吊り下げて把持してもよい。
【００３０】
［第４変形例］
図４に示したように、把持部４３は図１に示した台座１に取り付けられる平板状の基部４３ａとクリップ４１とを備える。クリップ４１は、基部４３ａに取り付けられるベース４４と、ベース４４の一端に回動可能に取り付けられるアーム４７と、ベース４４の他端に取り付けられるロック４５を有する。ベース４４の中央部４６には、長手方向に延びる半円柱上の凸部が形成されており、凸部はアーム４７に形成されている長手方向に伸びる半円柱状の凹部と噛み合わさる形状を有する。ロック４５には爪状の突起４５ａが設けられておりアーム４７の先端には、この爪状の突起４５ａと噛み合う形状の穴４７ａが形成されている。この把持部で袋を把持するには、アーム４７を回動させてクリップを開けて、袋の開口部の結び目の下部をベース４４とアーム４７の間に挟む。アーム４７を閉じた後、ロック４５の爪状の突起４５ａをアーム４７の先端部の穴４７ａに噛み合わせることによって、袋をクリップ基部４４とアーム部４７で挟み込んだ状態で維持することができる。
【００３１】
なお、第３、第４変形例において、基部３３ａ及び４３ａを省略して、取付具３３ｂ及びクリップ４１を直接台座１に取り付けてもよい。
【００３２】
＜第２具体例＞
この具体例では、第１具体例の第３変形例で示した把持部３３を備える汚物保持具３個と、それらに連結されるメッシュシート４１とを使用する例を示す。第１具体例で示した汚物保持具を３個（汚物保持具１００ａ，１００ｂ，１００ｃ）用意し、それらを図５（ｂ）に示すように、車のテールゲート部に等間隔に横一列に並べて取付ける。メッシュシート４１は細長い袋状の網目シートであり、上方にファスナーで開閉可能な開口部４１ａと前記把持部３３に取り付けるための輪状の取付部４２ａ〜４２ｃを有する。このメッシュシート４１は、取付部４２ａ，４２ｂ，４２ｃを横一列に並んだ汚物保持具１００ａ，１００ｂ，１００ｃの把持部３３ａ，３３ｂ，３３ｃにそれぞれ取り付けることによって固定される。このメッシュ４１の袋の中には、一個の汚物保持具では保持しきれないような比較的長いものを保持して輸送することができる。
【００３３】
本具体例では、３個の汚物保持具１００を使用したが、２個あるいは４個以上の汚物保持具１００を横一列に並べて使用しても構わない。また、本具体例では袋状のメッシュシート４１を用いたが、袋の形状や寸法は問わず、開口部４１ａにはファスナー以外の開閉具、例えばフォックやボタン等を用いてもよい。また、取付部４２ａ、４２ｂ、４２ｃを省略して、メッシュシート４１の網目に把持部３３であるカラビナを直接引っ掛けてもよい。
【００３４】
＜第３具体例＞
図６に、犬の足の裏を模した形状の汚物保持具５００の例を示す。この汚物保持具５００は犬の足の裏の形をした可撓製のある台座５１と、台座５１の表面に描かれた犬の足の肉球の部分の裏側に取り付けられている磁石５２，５３，５４，５５，５６と、把持部５７と、ネット５８とを備える。
【００３５】
本具体例の汚物保持具５００は犬を連想させる形態をしているので、本保持具が犬に関するものを積載するために使用されるということは、誰もが容易に想像することができる。また、この保持具を装着した車両に犬が搭乗していることも予測させる。特に愛犬家であれば、本具体例の汚物保持具に犬の糞を入れた袋が取り付けられているところを目にしたときに、それが犬の糞を入れた袋であって、飼い主が犬の糞を自宅まできちんと持ち帰っているということを容易に想像することができる。このことから、本具体例の汚物保持具５００を車に取り付けている者が、常に犬の糞を自宅まで持ち帰ることを励行しているマナーの良い飼い主であることを周囲にアピールする効果がある。それと同時に、犬の糞を放置するようなマナーの悪い飼い主に対して、犬の糞を自宅まで持ち帰るようにアピールする効果もある。それゆえ、本発明は環境保護を推進することができる。
【００３６】
本具体例の汚物保持具５００は、車のリアフェンダーやテールゲートに簡単に取り付けられるため、犬を散歩に連れて行くとき以外にも、常時車に取り付けられていてもよい。その場合には、本具体例の汚物保持具がより多くの人の目に留まることになるため、前述の効果がより大きくなると期待される。
【００３７】
＜第４具体例＞
図７に示すように、本具体例の汚物保持具６００はマグネットシート６０１と揺れ防止板６０２と把持部６０３とポーチ６０５とを備える。
【００３８】
マグネットシート６０１は幅２０ｃｍ×長さ２５ｃｍ程度の大きさであり、可撓性のあるゴム部６０１ａの一面に可撓性のあるシート状のマグネット（磁石）６０１ｂが貼り合わされている。そのため、このマグネットシート６０１は可撓性のある台座と磁石の両方を兼ね備えている。
【００３９】
揺れ防止板６０２は、マグネットシート６０１の表面に平行に取付けられる平板部６０２ａと、平板部６０２ａに対して垂直で、且つ鉛直方向に延在する２枚の突起板６０２ｂ、６０２ｃを有する。２枚の突起板６０２ｂ、６０２ｃの間隔は１５ｃｍ程度であり、各々の突起板６０２ｂ、６０２ｃの大きさは高さ１０ｃｍ×長さ１５ｃｍ程度である。
【００４０】
把持部６０３は第１具体例の第３変形例で示したカラビナを使用しており、突起板６０２ｂ、６０２ｃの間の中央上部に取り付けられている。ポーチ６０５は本体６０５ａと把手６０４を備える。ポーチ６０５の材質に制限はないが、洗浄可能という点で帆布やビニル布等の布材が好ましい。ポーチ６０５の大きさは、２枚の突起板６０２ｂ、６０２ｃの間に収まる大きさであればよい。
【００４１】
本具体例の汚物保持具６００を使用する際には、汚物を収納したポーチ６０５の把手６０４を把持部６０３で把持して、２枚の突起板６０２ｂ、６０２ｃの間にポーチ６０５を取り付ける。ポーチ６０５の横揺れは、揺れ防止板６０２によって押さえることができるため、強い揺れによるポーチ６０５の落下を防ぐことができる。
【００４２】
なお、本具体例において、汚物保持具６００の大きさは任意である。但し、前述のように、ポーチ６００の大きさは突起板６０２ｂ、６０２ｃの間に収まる大きさであることが望ましい。また、ポーチ６００は２枚の突起板６０２ｂ、６０２ｃの間にちょうど収まる大きさであるような専用のポーチであっても、ユーザーが所有する適当な大きさのポーチであってもよい。特に愛犬家の飼主は犬の散歩のときに、糞回収用の専用ポーチを持参している場合も多く、使い捨ての袋はポーチ内に収容される。このため、散歩を終えた後、ポーチをそのまま把持部６０３に直ちに装着できるというメリットもある。また、ポーチに把手が付いていない場合でも、直接把持部６０３に把持できればよい。
【００４３】
上記具体例においては、台座を車のボディーに磁石によって取り付けていたが、磁石に代えて吸盤やフックを台座に取り付けてもよい。吸盤はボディーの平坦部に吸着させることができる。フックはバンパーやけん引用金具などに引っ掛けることができる。
【００４４】
本発明を具体例及び変形例によって説明してきたが、本発明はこれらに限定されるものではない。例えば、磁石は台座の表面に取り付けても、台座に埋め込んでもよく、または任意のカバーに覆われていてもよい。こうすることで車両上を磁石がスライド移動することによるボディーの外傷を防止できる。また、磁石を取り付ける位置及び磁石の数は任意である。さらに、本発明の汚物保持具の寸法及び材質は任意である。また、保持部としてネット４を用いた例を示したが、ネット４に限らず任意の袋状部材、例えば開口（網目）のない袋状部材を用いても良い。
【産業上の利用可能性】
【００４５】
本発明の汚物保持具は、汚物の入った袋を車内に持ち込まずに車外に積載して持ち帰ることができるため、犬の散歩の際に糞を入れた袋を積載するのに好適である。犬の糞などの汚物を入れた袋を車内に持ち込むと、臭いが車内にこもるため不快に感じる人が多い。高温時はもちろんのこと、雨が降っていたり冷房を入れたりして、窓を閉め切って車内を密閉する場合には特に臭いがこもりやすくなる。このような理由から、本発明は、犬を車に乗せて散歩に連れて行くことを躊躇していた人や、犬を車に乗せて散歩に連れて行ったときだけ、犬の糞を持ち帰らなかった人などに対して、汚物の入った袋を車内に持ち込まずに自宅まで持ち帰ることを促すことができる。また、複数個の汚物保持具とそれらに取り付けられる袋を使用することによって、一個の汚物保持具では積載できないような長尺物なども積載することができる。さらに、本発明の犬を連想させる形状の汚物保持具は、これを車に取り付けている者がマナーの良い飼い主であることを周囲にアピールすると同時に、犬の糞を放置したりその場で埋めてしまうようなマナーの悪い飼い主に対して、犬の糞を自宅まで持ち帰ることをアピールする効果もある。それゆえ、本発明は環境保護にも貢献する。
【図面の簡単な説明】
【００４６】
【図１】図１（ａ）は本発明の汚物保持具を上から見た概略図であり、図１（ｂ）は本発明の汚物保持具を正面から見た概略図であり、図１（ｃ）は本発明の汚物保持具に袋を把持したところを正面から見た概略図であり、図１（ｄ）は本発明の汚物保持具を車のリアワイパーに取り付けた概略図である。
【図２】図２（ａ）はスリットが画成された板を利用した把持部の概略図であり、図２（ｂ）は波形のスリットが画成された板を利用した把持部の概略図である。
【図３】図３はカラビナを利用した把持部の概略図である。
【図４】図４はクリップを利用した把持部の概略図である。
【図５】図５（ａ）は複数個の本発明の汚物保持具で構成される、比較的大型の荷物を積載するための汚物保持具の概略図であり、図５（ｂ）は複数の本発明の汚物保持具を車のテールゲート部に取り付けた概略図である。
【図６】図６は犬の足の裏もしくは足跡を連想させる形状をした本発明の汚物保持具の概略図である。
【図７】図７（ａ）はマグネットシート及び揺れ防止板を備える本発明の汚物保持具を正面から見た概略図であり、図７（ｂ）はその汚物保持具を上から見た概略図である。
【符号の説明】
【００４７】
１，５１  台座
２，５２，５３，５４，５５，５６  磁石
１１，１４  スリット
４，５８  ネット
６０１  マグネットシート
６０２  揺れ防止板
【図１】
2007001468.tif 000003
【図２】
2007001468.tif 000004
【図３】
2007001468.tif 000005
【図４】
2007001468.tif 000006
【図５】
2007001468.tif 000007
【図６】
2007001468.tif 000008
【図７】
2007001468.tif 000009